(57)【要約】【課題】  基板検査装置等のように複数の電極部を有する装置を電気的に接続するために用いられるコネクタの提供。【解決手段】  突起電極部と電気的に接続を可能とするコネクタであって、一方側の開口部において、前記突起電極部を収容して導通状態となる筒本体と、前記筒本体の他方側の開口部において、該筒本体部と嵌合して導通状態となる棒状の接触子を有することを特徴とする。【選択図】  図１
2008098090.tif 000002
【特許請求の範囲】
【請求項１】
突起電極部と電気的に接続を可能とするコネクタであって、
一方側の開口部において、前記突起電極部を収容して導通状態となる筒本体と、
前記筒本体の他方側の開口部において、該筒本体部と嵌合して導通状態となる棒状の接触子を有することを特徴とするコネクタ。
【請求項２】
前記接触子は、
導電性の一端有底の筒部と、
前記筒部の開口端から延設されるプランジャと、
前記筒部に収容されるとともに前記プランジャを伸縮させる圧縮ばねからなることを特徴とする請求項１記載のコネクタ。
【請求項３】
前記筒本体の一方側開口部には、前記突起電極部を嵌合するための係止部が形成されていることを特徴とする請求項１記載のコネクタ。
【請求項４】
前記コネクタは、前記筒本体を複数保持する保持体を有し、
前記保持体は、
前記筒本体の長軸方向の長さよりも長い厚みを有し、
前記筒本体の他方側の開口部と前記保持体の表面が面一となるように配置されていることを特徴とする請求項３記載のコネクタ。
【請求項５】
前記コネクタは、
複数の検査点に対して、夫々電気的信号を授受するための電極部と、
これら電極部に対して、前記電気的信号の授受を制御するための検査装置を電気的に接続するために機能することを特徴とする請求項１乃至４いずれかに記載のコネクタ。
【発明の詳細な説明】
【技術分野】
【０００１】
本発明は、コネクタに関し、より詳しくは、基板検査装置等のように複数の電極部を有する装置を電気的に接続するために用いられるコネクタに関する。
【背景技術】
【０００２】
従来、電気的な接続を行うためのコネクタとして種々のコネクタが提案されている。
例えば、特許文献１のコネクタは、ピン・ソケット形のコネクタに関する技術が開示されており、このコネクタは筒状のソケットに長手方向に沿うスリットが形成される技術が開示されている（図４参照）。この特許文献１のコネクタは、抜き差しする場合に、強い力を必要とせずに抜き差しすることを目的としている。
【０００３】
また、図５には、従来のコネクタが示されており、（ａ）と（ｂ）では、従来のコネクタの接続前と接続後の様子を示しており、（ｃ）は従来のコネクタの分解図を示している。
この図５（ａ）と（ｂ）では、電気部品ＡとコネクタＢを接続する場合を示している。このコネクタＢは、電気部品Ａが有する複数の接続端子Ａ１に夫々接続される接続端子Ｂ１を有するとともに他の接続部品と電気的に接触を行う接触端子Ｂ２を有している。
この従来のコネクタを用いる接続方法では、電気部品Ａの接続端子Ａ１が雌型コネクタの形状に形成されており、この接続端子Ａ１に応じる雄型コネクタＢ１がコネクタＢに設けられている。
このコネクタＢは、図５で示される如く、一方側に突出して雄型コネクタＢ１が配置され、この雄型コネクタＢ１と導通するピン形状の接続電極が他方側に突出して配置されている。
【０００４】
図５（ｃ）では、従来のコネクタを分解して示している。この図で示される如く、コネクタは、電気部品Ａの雌型コネクタＡ１に嵌合する雄型コネクタＢ１を一端に有する筒部Ｂ１０と、この筒部Ｂ１０の他端側から内部に収容されて導通状態となる接触子Ｂ２０を有している。この接触子Ｂ２０は、一方は筒部Ｂ１０に収容され、他方は突出状態となるように配置される接続端子Ｂ２が設けられている。
この接続端子Ｂ２は、圧縮ばねに接続されることによって、他の電気部品と接続された場合に圧縮されることにより他の電気部品を押圧する状態となる。このため、他の電気部品と接続端子Ｂ２がより安定的に接続されることになる。
【０００５】
この電気部品は、例えば、複数の検査点から２つの検査点を選択して、この二点間の検査を行うような基板検査装置に用いられる。このような基板検査装置では、複数の検査点から所定の検査点を選択することができるように構成されるとともに、各検査点に接続する接触子（プローブ）が設けられ、この接触子を介して電気的信号の授受を行っている。このため、これらのプローブに夫々電気的信号の授受が行えるように、図５で示される如き各プローブに応じる接続端子が設けられていた。例えば、図５（ｂ）のコネクタであれば、32個の接続端子を有していることになる。
【０００６】
【特許文献１】特開２００１−１７６５９２号公報
【発明の開示】
【発明が解決しようとする課題】
【０００７】
しかしながら、図５に示す如き電気部品では、更に多くの電極部が形成される場合、隣接する雌型コネクタＡ１間の距離を短くする必要が生じる。このため、隣接する雌型コネクタＡ１同士が接触してしまい短絡を起こすことから、雌型コネクタＡ１が複数設けられるためには、隣接する雌型コネクタＡ１と接触しないための十分な隙間が必要であった。
また、雌型コネクタＡ１自体が、ピンを収容するための幅を有する必要があるため、従来のコネクタでは全体的に幅を狭く形成するためには、例えば、雄型コネクタＢ１の幅を狭く加工したり、雌型コネクタＡ１の幅を狭く加工したりと複雑な加工を必要としていた。
さらに、この従来のコネクタでは、雌型コネクタＡ１が突起状の雄型コネクタＢ１を収容することができるように形成されるため、どうしても全長が長くなる問題点を有していた。
本発明は、このような実情に鑑みてなされたもので、隣接するコネクタ同士の幅を狭くして、狭いピッチで複数のコネクタを配置することができるとともに、従来のコネクタと比して全長を短くして用いることができるコネクタを提供する。
【課題を解決するための手段】
【０００８】
請求項１記載の発明は、突起電極部と電気的に接続を可能とするコネクタであって、一方側の開口部において、前記突起電極部を収容して導通状態となる筒本体と、前記筒本体の他方側の開口部において、該筒本体部と嵌合して導通状態となる棒状の接触子を有することを特徴とするコネクタを提供する。
請求項２記載の発明は、前記接触子は、導電性の一端有底の筒部と、前記筒部の開口端から延設されるプランジャと、前記筒部に収容されるとともに前記プランジャを伸縮させる圧縮ばねからなることを特徴とする請求項１記載のコネクタを提供する。
請求項３記載の発明は、前記筒本体の一方側開口部には、前記突起電極部を嵌合するための係止部が形成されていることを特徴とする請求項１記載のコネクタを提供する。
請求項４前記コネクタは、前記筒本体を複数保持する保持体を有し、前記保持体は、前記筒本体の長軸方向の長さよりも長い厚みを有し、前記筒本体の他方側の開口部と前記保持体の表面が面一となるように配置されていることを特徴とする請求項３記載のコネクタを提供する。
請求項５記載の発明は、前記コネクタは、複数の検査点に対して、夫々電気的信号を授受するための電極部と、これら電極部に対して、前記電気的信号の授受を制御するための検査装置を電気的に接続するために機能することを特徴とする請求項１乃至４いずれかに記載のコネクタを提供する。
これらの発明を提供することによって、上記課題を悉く解決する。
【発明の効果】
【０００９】
請求項１記載の発明によれば、突起電極部と電気的に接続を可能とするコネクタであって、一方側で突起電極部を収容するとともに他方側で棒状の接触子とを夫々導通状態とする筒本体を有し、突起電極部と接触子を共通の部材により導通可能とすることができる。
このため、筒本体の外径がこのコネクタの最大外径となり、従来のコネクタに比してコネクタ一本当りの幅を低減し、サイズを縮小することができる。
また、本コネクタは、突起電極部と接触子を筒本体に収容することによって導通状態を生じさせることができるので、従来のコネクタに比してコネクタの全長を短くすることができる。
請求項２記載の発明によれば、接触子が導電性の一端有底の筒部と、筒部の開口端から延設されるプランジャと、プランジャを伸縮させる圧縮ばねからなるので、この接触子に他の電極を有する電気部材が接続される場合には、この電気部材を押圧して接触させることができ、安定した接触を実現することができる。
請求項３記載の発明によれば、筒本体の一方側開口部に突起電極部を係止するための係止部が形成されているので、突起電極部と筒本体が確実に且つ安定して導通状態を維持することができる。
請求項４記載の発明によれば、コネクタが筒本体を複数保持する保持体を有し、保持体が、筒本体の長軸方向の長さよりも長い厚みを有し、筒本体の他方側の開口部と保持体の表面が面一となるように配置されているので、突起電極部を本コネクタで接続状態とする際には、保持体内部に突起電極部を収容することになり、コネクタの全長を短くすることができる。
請求項５記載の発明によれば、複数の検査点に対して電気的信号を授受する検査装置とこれら検査点に接続される電極部を接続するコネクタとして用いられるので、検査点が増加し、高密な電極部であっても、この高密な電極部に対応することができるコネクタを提供することができる。
このため、検査点が増加してもコネクタを大型にする必要がない。
【発明を実施するための最良の形態】
【００１０】
本発明を実施するための最良の形態を説明する。
図１は、本発明に係るコネクタの一部の分解図を示しており、図２は、本発明に係るコネクタの接続前と接続後を示した側面図であり、図３は、図２の接続後の点線で示される部分の断面図を示している。
尚、図１の筒本体はその内部の概略構造を点線で示しており、図２では、コネクタを用いた場合の一実施形態を示しており、複数の接続電極部を有する電気部品Ｃとの接続状態を示している。
【００１１】
本発明に係るコネクタ１は、突起電極部４と電気的信号の授受を行うことを可能とするための導通状態を維持しており、コネクタ１の一方側から他方側へ電気的信号の送受信を行う。
このコネクタ１は、突起電極部４を一方側の開口部から内部に収容して導通状態となる筒本体２と、筒本体２の他方側の開口部において、該筒本体部と嵌合して導通状態となる棒状の接触子を有してなる。
【００１２】
この筒本体２は、導電性の素材から形成されている。このため、一方の開口端から他方の開口端へ、また、他方の開口端から一方の開口端へ、電気的信号の送受信を可能としている。
【００１３】
この筒本体２は、後述する接触子３又は突起電極部４のうち大きい径を有する部材よりも僅かに大きい内径を有している。このように形成されることによって、コネクタ自体の外径をより小さくすることができる。この結果、複数のコネクタを隣接して配置することが可能となる。
この筒本体２が、上記の如き一定の大きさの外径で形成されることによって、複数の筒本体２を並んで配置することができるとともに、筒本体２を簡易に製造することができる。
【００１４】
この筒本体２は、図１で示される如く、一方の開口端２ａから突起電極部４を内部に収容し、他方の開口端２ｂから接触子３を内部に収容することになる。
この一方の開口端２ａには、突起電極部４が内部に収容された際に、突起電極部４を係止しながら接触して、導通状態となる係止部２１が形成されている。この係止部２１は、筒本体２と導通状態となるように形成されている。
この係止部２１は、突起電極部４が筒本体２の内部に収容された場合に、この突起電極部４と接触して導通状態を維持することができる構造であれば特に限定されず、例えば、図１で示される如く、開口端２ａから筒本体２の内部に向かって徐々に狭くなる板ばねを用いることができる。
このような板ばねを係止部２１に用いることによって、突起電極部４を内部に収容する場合には、突起電極部４を係止して導通状態とすることができるとともに、容易にこの筒本体２から突起電極部４を抜き取ることができる。
【００１５】
図１で示される筒本体２には、他方の開口端２ｂから接触子３が挿入され、必要以上に内部に挿入されないための第一突部２２が、内部表面に設けられている。
また、この筒本体２には、後述する接触子４と係合する第二突部２３が形成される。この第二突部２３によって、接触子４が筒本体２に収容された場合に、接触子４と筒本体２を固定することができる。
【００１６】
本コネクタ１の一部を構成する接触子３は、上記の如く、筒本体２の他方の開口端２ｂから内部へ収容される。
この接触子３は、筒部３１、プランジャ３２と圧縮ばね３３を有してなる（図３参照）。
筒部３１は、一端有底に形成されており、他端に開口部を有してなる。
この筒部３１は、その内部に圧縮ばね３３を収容しており、圧縮ばね３３の伸縮によりプランジャ３２が接触子３の長軸方向に伸縮する。
筒部３１は、プランジャ３２の抜け防止を行う凹部３４が形成されている。また、筒本体２の第二突部２３と係合する窪み部３５を有している。この窪み部３５が形成されることによって、筒本体２の第二突部２３と係止されることになる。
【００１７】
プランジャ３２は、筒部３１の開口端から延設されるように設けられており、他の電気部品（図示せず）の接続電極と接触して導通する。このプランジャ３２の先端は、他の電気部品の接続電極が接触した場合に安定的に接触状態を維持するために、先端面が窪み形状になることが好ましい。
このプランジャ３２は、上記の如く、圧縮ばね３３に接続されており、他の電気部品の接続電極が接触する場合には、プランジャ３２が圧縮ばね３３側に押圧されて、付勢状態となる。この付勢状態により、他の電気部品の接続電極をより安定的に接触することになる。
【００１８】
突起電極部４は、電気部品の接続端子としての機能を有している。この突起電極部４はピン形状に形成されており、所謂雄型コネクタとして機能する。
この突起電極部４が雄型コネクタとして形成され、筒本体の一方の開口端２ａがこの雄型コネクタと対となる雌型コネクタとしての機能を果たすことになる。
【００１９】
本発明のコネクタ１は、図２で示される如く、複数のコネクタ１が所定の配列に従って設けられることができる。例えば、図２は、一列に50本のコネクタ１が設けられている状態を示している。本発明のコネクタ１は、筒本体２の幅がコネクタ１の幅であるため、従来のコネクタの幅と比して、短く形成することができる。このため、隣接するコネクタ同士を狭くして配置することができるようになる。
この結果、基板検査装置などのように複数の接続電極が密集して配置される電極部が形成されている場合であっても、その接続電極の切り替えが必要な電極を接続するためのコネクタとして用いることができる。
【００２０】
このコネクタ１を複数配置する場合には、図２で示される如く、コネクタ１の筒本体２の長軸方向の長さｄ１よりも長い厚みｄ２を有する保持体１１を用いることが好ましい。
この保持体１１の厚みｄ２が、筒本体２の長さｄ１よりも長く形成されることにより、この保持体１１に筒本体２を収容するための厚み方向の孔部１１１を形成して、この孔部１１１に筒本体２を収容するようにして形成することができる。
図３では、保持体１１が筒本体２を孔部１１１に収容するとともに、この筒本体２が保持体１１の他の電気部品との接続側の表面と面一となるように配置されている。このため、保持体１１の孔部１１１の突起電極部４側には、筒本体２が配置されていない空間が形成されている。このように空間が形成されることによって、この空間が突起電極部４を収容する際の遊びとなり、コネクタ１と突起電極部４が安定的に接触することができる。
【００２１】
この保持体１１は、絶縁性の素材であるガラエポを用いることができるが、絶縁性の素材であれば特に限定されるものではない。
以上が本発明に係るコネクタの構成の説明である。
【図面の簡単な説明】
【００２２】
【図１】本発明に係るコネクタの一部の分解図を示している。
【図２】本発明に係るコネクタの接続前と接続後を示した側面図である。
【図３】図２の接続後の点線で示される部分の断面図を示している。
【図４】従来のコネクタの構造を示す。
【図５】従来の他のコネクタを示す実施形態である。
【符号の説明】
【００２３】
１・・・コネクタ
２・・・筒本体
２ａ・・一方の開口端
２ｂ・・他方の開口端
３・・・接触子
３１・・筒部
３２・・プランジャ
３３・・圧縮ばね
４・・・突起電極部
Ｃ・・・電気部品
【図１】
2008098090.tif 000003
【図２】
2008098090.tif 000004
【図３】
2008098090.tif 000005
【図４】
2008098090.tif 000006
【図５】
2008098090.tif 000007